(57)【要約】【課題】軟包装容器に密封した飲食品の所定位置にセンサの検出部を容易に且つ確実に正しくセットすることができるセンサ取付用冶具を提供する。【解決手段】表面側が周縁部から中央部に向かい全体として下降する形状に形成したガイド体と、該ガイド体の中央部に穿設した貫通孔と、該ガイド体の該貫通孔を両側から挟む位置にて両側面部に取付けた螺子部材とを備え、該貫通孔にセンサの検出部を通すようにした。【選択図】図１
0003134729.tif 000002
【実用新案登録請求の範囲】
【請求項１】
表面側が周縁部から中央部に向かい全体として下降する形状に形成されたガイド体と、該ガイド体の中央部に穿設された貫通孔と、該ガイド体の該貫通孔を両側から挟む位置にて両側面部に取付けられた螺子部材とを備え、該貫通孔にセンサの検出部を通すようにして成るセンサ取付用冶具。
【請求項２】
ガイド体の表面側が周縁部から中央部に向かい滑らかに下降する傾斜面及び／又は湾曲面に形成された請求項１記載のセンサ取付用冶具。
【請求項３】
ガイド体の両側面部が平行する平面に形成されており、該平面に螺子部材が取付けられた請求項１又は２記載のセンサ取付用冶具。
【請求項４】
ガイド体及び螺子部材が耐熱性プラスチック製の一体成形物である請求項１〜３のいずれか一つの項記載のセンサ取付用冶具。
【請求項５】
センサが温度センサである請求項１〜４のいずれか一つの項記載のセンサ取付用冶具。
【考案の詳細な説明】
【技術分野】
【０００１】
本考案はセンサ取付用冶具に関する。例えばレトルト殺菌装置を用いて、軟包装容器に密封した飲食品を殺菌する場合、該飲食品の殺菌を所期のように行なうため、軟包装容器に密封した飲食品中に温度センサを挿入して、殺菌中の飲食品の品温を測定することが行なわれる。この場合、飲食品の殺菌を所期の通り確実に行なうためには、軟包装容器に密封した飲食品中に温度センサを単に挿入するだけでは不充分であり、軟包装容器に密封した飲食品の最遅速品温を測定できる位置に温度センサの検出部を正しくセットする必要がある。このようなセット作業は、レトルト殺菌装置を用いて軟包装容器に密封した飲食品を殺菌するバッチ毎に必要であり、相当に熟練を要し、神経を使う作業である。そこで、かかるセット作業をできるだけし易くするため、温度センサをセットするための取付用冶具が使用される。殺菌中における軟包装容器内の圧力を測定する場合には圧力センサが使用され、この場合も同様に取付用冶具が使用されることがあるが、本考案は以上のようなセンサ取付用冶具の改良に関する。
【背景技術】
【０００２】
従来、前記のようなセンサ取付用冶具として、その平面図を図１２に示したようなものが使用されている。図１２に示した従来のセンサ取付用冶具１６は温度センサの取付用冶具であり、これは比較的短寸な円柱状部材の中央部に径方向へ貫通孔３６が穿設され、また軸方向の両端面に螺子部材４６ａ，４６ｂが取付けられたものから成っている。かかるセンサ取付用冶具１６は以下のように用いる。先ずセンサ取付用冶具１６を軟包装容器内に入れ、両端面の螺子部材４６ａ，４６ｂを軟包装容器を貫通して外部へ取出し、そこに通常はオーリングを介してナットを締め付けることにより取付ける。同様に、温度センサ基部の螺子部材を軟包装容器を貫通して外部へ取出し、そこに通常はオーリングを介してナットを締め付けることにより取付ける。温度センサ基部の螺子部材の貫通孔にはシール用のパッキンが取付けられているので、ここで軟包装容器に飲食品を充填し、軟包装容器を密封する。次に温度センサを温度センサの基部の螺子部材に通し、軟包装容器を貫通させる。最後に飲食品を密封した軟包装容器内にて、温度センサの検出部をセンサ取付用冶具１６の貫通孔３６に通し、先端部を飲食品中の所定位置に露出させる。かくして、センサ取付用冶具の補助により、軟包装容器に密封した飲食品の最遅速品温が測定できる位置に温度センサの検出部を正しくセットした状態で、他の多数の軟包装容器に密封した飲食品と共にレトルト殺菌装置に装入し、殺菌する。その間、飲食品の殺菌を所期の通り確実に行なうため、温度センサで、軟包装容器に密封した飲食品の品温を測定し続ける。
【０００３】
しかし、前記したような従来のセンサ取付用冶具１６には、中央部の貫通孔３６にセンサの検出部を通すのが誠に厄介という問題がある。従来のセンサ取付用冶具１６の場合、中央部の貫通孔３６にセンサの検出部を誘導する斜めのガイド部２６が小さいため、かかる貫通孔３６にセンサの検出部を通すのに時間がかかるというだけでなく、実際には通っていないにもかかわらず、通ったものと錯覚して殺菌を行なってしまったり、場合によってはセンサの検出部を破損してしまうことがしばしば発生し、特にこのようなことは軟包装容器に不透明な粘稠状の飲食品を密封する場合に発生し易いのである。
【考案の開示】
【考案が解決しようとする課題】
【０００４】
本考案が解決しようとする課題は、中央部の貫通孔にセンサの検出部を容易に且つ確実に通すことができる、すなわち軟包装容器に密封した飲食品の所定位置にセンサの検出部を容易に且つ確実に正しくセットすることができるセンサ取付用冶具を提供するところにある。
【課題を解決するための手段】
【０００５】
前記の課題を解決する本考案は、表面側が周縁部から中央部に向かい全体として下降する形状に形成されたガイド体と、該ガイド体の中央部に穿設された貫通孔と、該ガイド体の該貫通孔を両側から挟む位置にて両側面部に取付けられた螺子部材とを備え、該貫通孔にセンサの検出部を通すようにして成るセンサ取付用冶具に係る。
【０００６】
本考案に係るセンサ取付用冶具は、ガイド体と、貫通孔と、螺子部材とを備えている。ガイド体は、表面側が周縁部から中央部に向かい全体として下降する形状に形成されている。貫通孔は、かかるガイド体の中央部に穿設されている。螺子部材は、かかる貫通孔を両側から挟む位置にて該ガイド体の両側面部に取付けられている。
【０００７】
本考案に係るセンサ取付用冶具において、ガイド体の表面側は前記したように周縁部から中央部に向かい全体として下降する形状となっているが、かかる表面側の形状には、周縁部から中央部に向かい階段状に下降する形状、周縁部から中央部に向かい凸面状や凹面状のような湾曲面状に下降する形状、周縁部から中央部に向かい直線的な傾斜面状に下降する形状、これらを任意に組合わせた形状等が含まれる。なかでも、ガイド体の表面側を周縁部から中央部に向かい滑らかに下降する傾斜面及び／又は湾曲面に形成するのが好ましく、具体的にはロート状、逆アーチ状、パラボラ状といわれるような形状に形成するのが好ましい。センサの検出部先端がガイド体のどの部分に当たっても、該検出部先端を該ガイド体の周縁部から中央部に向かい全体として下降する表面側の形状に沿って中央部の貫通孔へと無理なく誘導し、該センサの検出部を該貫通孔へと通すようになっているのである。
【０００８】
本考案に係るセンサ取付用冶具において、ガイド体の側面部の形状は、平面から見て、全体として方形、円形、楕円形等、いずれであってもよいが、ガイド体の側面部のうちで前記の貫通孔を両側から挟む位置関係となる両側面部は平行する平面に形成し、ここに螺子部材を取付けるのが好ましい。センサ取付用冶具を軟包装容器内に入れ、両側面部の螺子部材を軟包装容器を貫通して外部へ取出し、そこに通常はオーリングを介してナットを締め付けることにより取付けるとき、軟包装容器に対するセンサ取付用冶具の位置取りが容易で取付け易く、しかも前記のように取付けたときに軟包装容器とセンサ取付用冶具との間を確実にシールすることができるからである。
【０００９】
本考案に係るセンサ取付用冶具において、ガイド体及び螺子部材の材質は特に制限されないが、軽量性や耐久性、特に耐熱性の点で、エポキシ樹脂、フェノール樹脂、ポリイミド樹脂、ポリエーテルエーテルケトン、更にはこれらの強化樹脂等、耐熱性のプラスチックで一体成形したものが好ましい。また寸法も特に制限されないが、例えば外寸が２９５mm×２１７mmの標準的な角型パウチ容器内に、検出部すなわち測温部の外径が１．４mm、長さが４５mmの温度センサを取付けるための冶具として用いる場合、いずれも概略の寸法で、ガイド体の外径は２５〜２８mm、深さは７mm、貫通孔の内径は２mm、長さは３mm、螺子部材の長さは５mmのものとすることができる。
【考案の効果】
【００１０】
本考案に係るセンサ取付用冶具によると、軟包装容器に密封した飲食品の所定位置にセンサの検出部を容易に且つ確実に正しくセットすることができる。
【実施例】
【００１１】
図１は本考案に係るセンサ取付用冶具を例示する平面図、図２は図１のＡ−Ａ線断面図、図３は図１のＢ−Ｂ線断面図である。図１〜３に例示したセンサ取付用冶具１１は、ガイド体２１と、貫通孔３１と、螺子部材４１ａ，４１ｂとを備える耐熱性プラスチック製の一体成形物から成っている。ガイド体２１は、表面側が周縁部から中央部に向かい滑らかに下降する直線的な傾斜面及びかかる傾斜面に連続する凸面状の湾曲面に形成されており、貫通孔３１はかかるガイド体２１の中央部に穿設されている。ガイド体２１の貫通孔３１を両側から挟む位置にある両側面部は平行する平面に形成されており、他の側面部は円弧面に形成されていて、螺子部材４１ａ，４１ｂはガイド体２１の両側面部におけるかかる平行する平面に穿設されている。
【００１２】
図４は本考案に係る他のセンサ取付用冶具を例示する平面図、図５は図４のＣ−Ｃ線断面図である。図４及び５に例示したセンサ取付用冶具１２は、ガイド体２２と、貫通孔３２と、螺子部材４２ａ，４２ｂとを備える耐熱性プラスチック製の一体成形物から成っている。ガイド体２２は、表面側が周縁部から中央部に向かい滑らかに下降する直線的な傾斜面に形成されており、貫通孔３２はかかるガイド体２２の中央部に穿設されていいて、螺子部材４２ａ，４２ｂはガイド体２２の貫通孔３２を両側から挟む位置にある両側面部に穿設されている。
【００１３】
図６は本考案に係る他のセンサ取付用冶具を例示する断面図である。図６に例示したセンサ取付用冶具１３は、ガイド体２３と、貫通孔３３と、螺子部材４３ａ，４３ｂ（但し、ここでは図示しない、以下同じ）とを備える耐熱性プラスチック製の一体成形物から成っている。ガイド体２３は、表面側が周縁部から中央部に向かい順次に下降する階段状に形成されており、貫通孔３３はかかるガイド体２３の中央部に穿設されていて、螺子部材４３ａ，４３ｂはガイド体２３の貫通孔３３を両側から挟む位置にある両側面部に穿設されている。
【００１４】
図７は本考案に係る他のセンサ取付用冶具を例示する平面図、図８は図７のＤ−Ｄ線断面図である。図７及び８に例示したセンサ取付用冶具１４は、ガイド体２４と、貫通孔３４と、螺子部材４４ａ，４４ｂとを備える耐熱性プラスチック製の一体成形物から成っている。ガイド体２４は、表面側が周縁部から中央部に向かい滑らかに下降する凹面状の湾曲面に形成されており、貫通孔３４はかかるガイド体２４の中央部に穿設されている。ガイド体２４の貫通孔３４を両側から挟む位置にある両側面部は平行する平面に形成されており、他の側面部は円弧面に形成されていて、螺子部材４４ａ，４４ｂはガイド体２４の両側面部におけるかかる平行する平面に穿設されている。
【００１５】
図９は本考案に係る他のセンサ取付用冶具を例示する断面図である。図９に例示したセンサ取付用冶具１５は、ガイド体２５と、貫通孔３５と、螺子部材４５ａ，４５ｂ（但し、ここでは図示しない、以下同じ）とを備える耐熱性プラスチック製の一体成形物から成っている。ガイド体２５は、表面側が周縁部から中央部に向かい滑らかに下降する凸面状の湾曲面に形成されており、貫通孔３５はかかるガイド体２５の中央部に穿設されていて、螺子部材４５ａ，４５ｂはガイド体２５の貫通孔３５を両側から挟む位置にある両側面部に穿設されている。
【００１６】
図１０及び１１は図１〜３に例示した本考案に係るセンサ取付用冶具の使用状態を略示する断面図である。ここでは、温度センサの取付用冶具として使用している。先ずセンサ取付用冶具１１を軟包装容器５１内に入れ、両側面部の螺子部材４１ａ，４１ｂを軟包装容器５１を貫通して外部へ取出し、そこにオーリング（但し、ここでは図示しない、以下同じ）を介してナット５２，５３を締め付けることにより取付ける。同様に、温度センサ基部の螺子部材６２を軟包装容器５１を貫通して外部へ取出し、そこにオーリング（但し、ここでは図示しない、以下同じ）を介してナット６３を締め付けることにより取付ける。螺子部材６２の軸線部の貫通孔にはパッキン（但し、ここでは共に図示しない、以下同じ）が取付けられているので、ここで軟包装容器５１に飲食品（但し、ここでは図示しない、以下同じ）を充填し、軟包装容器５１を密封する。次に温度センサ６１を温度センサ基部の螺子部材６２の貫通孔に通し、軟包装容器５１を貫通させる（図１０の状態）。最後に飲食品を密封した軟包装容器５１内にて、温度センサ６１の検出部６４をセンサ取付用冶具１１の貫通孔３１に通し、先端部を飲食品中の所定位置に露出させる（図１１の状態）。温度センサ６１の検出部６４をセンサ取付用冶具１１の貫通孔３１に通すとき、温度センサ６１の検出部６４の先端がセンサ取付用冶具１１のガイド体２１のどの部分に当たっても、検出部６４の先端をガイド体２１の周縁部から中央部に向かい滑らかに下降（図１１では後退）する表面側の形状に沿って中央部の貫通孔３１へと無理なく誘導するので、温度センサ６１の検出部６４をセンサ取付用冶具１１の貫通孔３１へ通すときの作業ミスや検出部６４の破損等を発生させることなく、温度センサ６１の検出部６４を軟包装容器５１に密封した飲食品の所定位置に容易に且つ確実に正しくセットすることができる。
【図面の簡単な説明】
【００１７】
【図１】本考案に係るセンサ取付用冶具を例示する平面図。
【図２】図１のＡ−Ａ線断面図。
【図３】図１のＢ−Ｂ線断面図。
【図４】本考案に係る他のセンサ取付用冶具を例示する平面図。
【図５】図４のＣ−Ｃ線断面図。
【図６】本考案に係る他のセンサ取付用冶具を例示する断面図。
【図７】本考案に係る他のセンサ取付用冶具を例示する平面図。
【図８】図７のＤ−Ｄ線断面図。
【図９】本考案に係る他のセンサ取付用冶具を例示する断面図。
【図１０】図１〜３に例示した本考案に係るセンサ取付用冶具の使用状態を略示する断面図。
【図１１】図１〜３に例示した本考案に係るセンサ取付用冶具の他の使用状態を略示する断面図。
【図１２】従来のセンサ取付用冶具を示す平面図。
【符号の説明】
【００１８】
１１〜１６        センサ取付用冶具
２１〜２５        ガイド体
２６              ガイド部
３１〜３６        貫通孔
４１ａ，４１ｂ，４２ａ，４２ｂ，４４ａ，４４ｂ，４６ａ，４６ｂ  螺子部材
５１              軟包装容器
５２，５３，６３  ナット
６１              温度センサ
６４              検出部
【図１】
0003134729.tif 000003
【図２】
0003134729.tif 000004
【図３】
0003134729.tif 000005
【図４】
0003134729.tif 000006
【図５】
0003134729.tif 000007
【図６】
0003134729.tif 000008
【図７】
0003134729.tif 000009
【図８】
0003134729.tif 000010
【図９】
0003134729.tif 000011
【図１０】
0003134729.tif 000012
【図１１】
0003134729.tif 000013
【図１２】
0003134729.tif 000014